(57)【要約】【課題】バッテリを収容するスペースを有効活用することが出来る携帯端末を提供することを目的とする。【解決手段】携帯端末が、前記サブバッテリまたは機能モジュールを収容すると共に収容された前記サブバッテリまたは前記機能モジュールに接続する第１の被接続端子が設けられた収容部と、前記第１の被接続端子へ接続された前記サブバッテリまたは前記機能モジュールに応じた検出信号を出力する検出手段と、前記検出手段から入力された検出信号に基づいて、前記サブバッテリ及び前記機能モジュールのいずれが搭載されたのかを認識し、搭載された前記サブバッテリまたは前記機能モジュールを動作させる制御手段とを具備し、前記第１の被接続端子は、前記メインバッテリが接続する第２の被接続端子と前記メインバッテリとの接続方向とは、異なる方向で前記サブバッテリまたは前記機能モジュールと接続するように設けられている。【選択図】図２
2010011139.tif 000002
【特許請求の範囲】
【請求項１】
メインバッテリと１つ以上のサブバッテリを搭載することができる携帯端末であって、
前記サブバッテリまたは機能モジュールを収容すると共に収容された前記サブバッテリまたは前記機能モジュールに接続する第１の被接続端子が設けられた収容部と、
前記第１の被接続端子へ接続された前記サブバッテリまたは前記機能モジュールに応じた検出信号を出力する検出手段と、
前記検出手段から入力された検出信号に基づいて、前記サブバッテリ及び前記機能モジュールのいずれが搭載されたのかを認識し、搭載された前記サブバッテリまたは前記機能モジュールを動作させる制御手段とを具備し、
前記第１の被接続端子は、前記メインバッテリが接続する第２の被接続端子と前記メインバッテリとの接続方向とは、異なる方向で前記サブバッテリまたは前記機能モジュールと接続するように設けられていることを特徴とする携帯端末。
【請求項２】
前記収容部が、前記サブバッテリ及び前記機能モジュールを併せて収容することも出来ると共に前記第１の被接続端子が前記サブバッテリ及び前記機能モジュールへ併せて接続することも可能であり、
前記検出手段は、前記第１の被接続端子へ併せて接続された前記サブバッテリ及び機能モジュールに応じた検出信号を出力し、
前記制御手段は、前記検出手段から当該検出信号が入力されると、前記サブバッテリ及び前記機能モジュールが併せて搭載されたことを認識し、併せて搭載された前記サブバッテリ及び前記機能モジュールの両方を動作させることを特徴とする請求項１に記載の携帯端末
【請求項３】
前記収容部は、前記機能モジュールとして、メモリカードスロットモジュール、外部接続インタフェースモジュール、カメラモジュール、近距離無線通信モジュール及び赤外線通信モジュールの少なくとも１つを収容することが出来ることを特徴とする請求項１または２に記載の携帯端末。
【発明の詳細な説明】
【技術分野】
【０００１】
本発明は、携帯電話やＰＨＳ（Personal Handy-phone System）等の携帯端末に関する。
【背景技術】
【０００２】
下記特許文献１には、緊急時に少なくとも一回以上の通話に要する電力を確実に供給することができる携帯電話装置が開示されている。
この携帯電話装置には、メインバッテリ、第１のサブバッテリ及び第２のサブバッテリが備えられている。この携帯電話装置における制御部は、第１のサブバッテリまたは第２のサブバッテリの残量が所定値以下になると第１のサブバッテリと第２のサブバッテリを交互に充電し、メインバッテリの残量が所定値以下になるとメインバッテリを充電する。そして、制御部は、メインバッテリを充電が完了すると、通常通信時には、充電後のメインバッテリを電源供給源として使用すると共に充電後の第１のサブバッテリと第２のサブバッテリを交互に電源供給源として使用する。また、制御部は、メインバッテリの残量が所定値以下である場合に、非常通信用スイッチの入力操作が行われると、充電後の第１のサブバッテリまたは第２のサブバッテリを電源供給源として使用する。
【特許文献１】特開平１０−２２５００２号公報
【発明の開示】
【発明が解決しようとする課題】
【０００３】
ところで、上記従来技術では、電源供給源としてメインバッテリ及びサブバッテリを具備しており、このメインバッテリまたはサブバッテリから供給される電力によって通信等の各種動作を実行している。しかしながら、携帯端末では、動作を実行する為にメインバッテリ及びサブバッテリの２つのバッテリが必ずしも必要とは限らず、少なくとも１つのバッテリがあれば各種動作を実行することが出来る。その為、上記従来技術は、必ずしても必要ではないサブバッテリを常に収容している。すなわち、常に特定のスペースがサブバッテリによって占有されている為に、スペースの有効活用という観点から改善の余地が残されていた。
【０００４】
本発明は、上述した事情を鑑みたものであり、バッテリを収容するスペースを有効活用することが出来る携帯端末を提供することを目的とする。
【課題を解決するための手段】
【０００５】
上記目的を達成するために、本発明では、携帯端末に係る第１の解決手段として、メインバッテリと１つ以上のサブバッテリを搭載することができる携帯端末であって、前記サブバッテリまたは機能モジュールを収容すると共に収容された前記サブバッテリまたは前記機能モジュールに接続する第１の被接続端子が設けられた収容部と、前記第１の被接続端子へ接続された前記サブバッテリまたは前記機能モジュールに応じた検出信号を出力する検出手段と、前記検出手段から入力された検出信号に基づいて、前記サブバッテリ及び前記機能モジュールのいずれが搭載されたのかを認識し、搭載された前記サブバッテリまたは前記機能モジュールを動作させる制御手段とを具備し、前記第１の被接続端子は、前記メインバッテリが接続する第２の被接続端子と前記メインバッテリとの接続方向とは、異なる方向で前記サブバッテリまたは前記機能モジュールと接続するように設けられているという手段を採用する。
【０００６】
本発明では、携帯端末に係る第２の解決手段として、上記第１の解決手段において、前記収容部が、前記サブバッテリ及び前記機能モジュールを併せて収容することも出来ると共に前記第１の被接続端子が前記サブバッテリ及び前記機能モジュールへ併せて接続することも可能であり、前記検出手段は、前記第１の被接続端子へ併せて接続された前記サブバッテリ及び機能モジュールに応じた検出信号を出力し、前記制御手段は、前記検出手段から当該検出信号が入力されると、前記サブバッテリ及び前記機能モジュールが併せて搭載されたことを認識し、併せて搭載された前記サブバッテリ及び前記機能モジュールの両方を動作させるという手段を採用する。
【０００７】
本発明では、携帯端末に係る第３の解決手段として、上記第１または第２の解決手段において、前記収容部は、前記機能モジュールとして、メモリカードスロットモジュール、外部接続インタフェースモジュール、カメラモジュール、近距離無線通信モジュール及び赤外線通信モジュールの少なくとも１つを収容することが出来るという手段を採用する。
【発明の効果】
【０００８】
本発明によれば、携帯端末が、メインバッテリと１つ以上のサブバッテリを搭載することができる携帯端末であって、前記サブバッテリまたは機能モジュールを収容すると共に収容された前記サブバッテリまたは前記機能モジュールに接続するサブバッテリ／モジュール被接続端子が設けられたサブバッテリ／モジュール収容部と、前記サブバッテリ／モジュール被接続端子へ接続された前記サブバッテリまたは前記機能モジュールに応じた検出信号を出力する検出手段と、前記検出手段から入力された検出信号に基づいて、前記サブバッテリ及び前記機能モジュールのいずれが搭載されたのかを認識し、搭載された前記サブバッテリまたは前記機能モジュールを動作させる制御手段とを具備し、前記サブバッテリ／モジュール被接続端子は、前記メインバッテリが接続するメインバッテリ被接続端子と、異なる方向へ向くように設けられている。
【０００９】
これにより、ユーザは状況に応じてサブバッテリまたは機能モジュールを収容部に収容して、サブバッテリまたは機能モジュールの機能を利用することが出来る為、収容スペースを有効活用することが出来る。さらに、収容部にサブバッテリが収容されている場合に、携帯端末が落下して外力が加わりメインバッテリ及びサブバッテリの位置が移動して瞬断が発生するような状況になったとしても、サブバッテリとメインバッテリとがそれぞれ第１の被接続端子と第２の接続端子とに異なる方向で接続されることによって、メインバッテリ及びサブバッテリのいずれかが接続状態を保持することが出来る為、瞬断を防ぐことが出来る。
【発明を実施するための最良の形態】
【００１０】
以下、図面を参照して、本発明の一実施形態について説明する。本実施形態は、携帯端末の１つであるＰＨＳ（Personal Handy-phone System）端末に関する。
図１は、本実施形態に係るＰＨＳ端末Ａの外観構成を示す斜視図である。
この図１に示すように、ＰＨＳ端末Ａは、表示側本体１と操作側本体２とがヒンジ構造３によって連結された折りたたみ形式のものである。表示側本体１は、表示側筐体４及び当該表示側筐体４の一面に設けられた表示部５等から構成され、表示側筐体４においてヒンジ構造３から離間した部位には受話口６が形成されている。受話口６は、外部と不図示のスピーカとを連通する構成となっている。
【００１１】
一方、操作側本体２は、操作側筐体７及び当該操作側筐体７の一面に設けられた操作部８等から構成され、操作側筐体７においてヒンジ構造３から離間した部位には送話口９が形成されている。操作部８は、電源キー、テンキーや各種の機能キーから構成されており、ユーザによる各種の操作指示を受け付ける。また、送話口９は、不図示のマイクと連通する構成となっている。
【００１２】
図２は、本実施形態に係るＰＨＳ端末Ａのバッテリ収容部１１、メインバッテリ１２、サブバッテリ１３及びＳＤカードスロットモジュール１４の外観構成を示す斜視図である。この図２に示すように、操作側本体２の操作部８が設けられた面と反対側の面に設けられた収容カバー１０を取り外すと、操作側本体２には、バッテリ収容部１１が設けられている。そして、このバッテリ収容部１１は、仕切り部１１eによってメインバッテリ１２を収容するメインバッテリ収容部１１ａと、サブバッテリ１３またはＳＤカードスロットモジュール１４を収容するサブバッテリ／モジュール収容部１１ｂとに分割されている。
【００１３】
メインバッテリ収容部１１ａには、ヒンジ構造３が設けられた方向とは逆方向の側面に、ピン形の端子によって構成されるメインバッテリ１２に接続する為のメインバッテリ被接続端子１１ｃが設けられている。また、サブバッテリ／モジュール収容部１１ｂには、その底面に略直交に立設して形成されているサブバッテリ１３またはＳＤカードスロットモジュール１４に接続する為のサブバッテリ／モジュール被接続端子１１ｄが設けられている。
【００１４】
メインバッテリ１２は、例えば鉛蓄電池またはリチウムイオン二次電池によって構成されており、ＰＨＳ端末Ａの主電源である。このメインバッテリ１２は、メインバッテリ被接続端子１１ｃに接続するメインバッテリ接続端子１２ａが設けられており、メインバッテリ接続端子１２ａを介してＡＣ（Alternating Current）アダプタ（図示略）から供給される電力を蓄電する一方、メインバッテリ接続端子１２ａを介してＰＨＳ端末Ａにおける各部に電力を供給する。そして、メインバッテリ収容部１１ａにメインバッテリ１２が収容されることによってメインバッテリ接続端子１２ａとメインバッテリ被接続端子１１ｃとが接続し、メインバッテリ１２は、ＰＨＳ端末Ａの各部に対する電力の供給及びＡＣアダプタから供給される電力の蓄電が可能になる。
【００１５】
サブバッテリ１３は、上記メインバッテリ１２と同様に鉛蓄電池またはリチウムイオン二次電池によって構成されており、ＰＨＳ端末Ａの補助電源である。このサブバッテリ１３は、サブバッテリ／モジュール被接続端子１１ｄに接続するサブバッテリ接続端子１３ａが設けられている。そして、サブバッテリ／モジュール収容部１１ｂにサブバッテリ１３が収容されることによってサブバッテリ接続端子１３ａとサブバッテリ／モジュール被接続端子１１ｄとが接続し、サブバッテリ１３は、ＰＨＳ端末Ａの各部に対する電力の供給及びＡＣアダプタから供給される電力の蓄電が可能になる。
【００１６】
ＳＤカードスロットモジュール１４は、ＳＤカードを保持するためのＳＤカードスロット、ＳＤカードに対する電子データの読み出し及び書き込みを行う為にＳＤカードと電気的に接続するＳＤカード接続端子等から構成されている取り外し可能な機能モジュールである。このＳＤカードスロットモジュール１４は、サブバッテリ／モジュール被接続端子１１ｄに接続するモジュール接続端子１４ａが設けられている。そして、サブバッテリ／モジュール収容部１１ｂにＳＤカードスロットモジュール１４が収容されることによってモジュール接続端子１４ａとサブバッテリ／モジュール被接続端子１１ｄとが接続し、ＳＤカードスロットモジュール１４は、収容するＳＤカードに対する電子データの読み出し及び書き出しが可能になる。
【００１７】
図３は、本実施形態に係るＰＨＳ端末Ａのサブバッテリ／モジュール収容部１１ｂにＳＤカードスロットモジュール１４が収容されている場合のＳＤカードスロットモジュール１４と内部回路との接続状態を示す回路図であり、図４は、本実施形態に係るＰＨＳ端末Ａのサブバッテリ／モジュール収容部１１ｂにサブバッテリ１３が収容されている場合のサブバッテリ１３と内部回路との接続状態を示す回路図である。
【００１８】
図３及び図４に示すように、ＰＨＳ端末Ａにおける内部回路は、制御回路２１、ＡＶＲ（Automatic Voltage Regulator）２２、第１電力供給スイッチ２３、第２電力供給スイッチ２４、ＳＤカードスロットインタフェース線２５、ＳＤカードスロット検出線２６、サブバッテリ検出線２７及びサブバッテリ／モジュール被接続端子１１ｄから構成されている。また、ＳＤカードスロットモジュール１４には、図３に示すようにＳＤカードスロット検出回路１４ｂが設けられている。そして、サブバッテリ１３には、図４に示すようにサブバッテリ検出回路１３ｂが設けられている。
【００１９】
制御回路２１は、ＣＰＵ（Central Processing Unit）、ＲＯＭ（Read Only Memory）及びＲＡＭ（Random Access Memory）から構成される内部メモリ並びにＡＶＲ２２、第１電力供給スイッチ２３、第２電力供給スイッチ２４、ＳＤカードスロットインタフェース線２５、ＳＤカードスロット検出線２６、サブバッテリ検出線２７及びその他各部と信号の入出力をそれぞれ行うインタフェース回路から構成されており、ＰＨＳ端末Ａの全体動作を制御する回路である。
【００２０】
ＡＶＲ２２は、第１電力供給スイッチ２３及び第２電力供給スイッチ２４へ接続し、第１電力供給スイッチ２３及び第２電力供給スイッチ２４を介して供給される電力の電圧を一定に保つものである。
第１電力供給スイッチ２３は、バイポーラトランジスタまたはＦＥＴ（Field effect transistor）等のスイッチ素子によって構成される半導体スイッチであり、その一方の端子が電源配線を介してメインバッテリ１２の正極に接続し、他方の端子がＡＶＲ２２に接続している。この第１電力供給スイッチ２３は、制御回路２１の制御の下、一方の端子と他方の端子の間の接続／非接続、つまりメインバッテリ１２とＡＶＲ２２との電気的接続／非接続を切り替える。
【００２１】
第２電力供給スイッチ２４は、第１電力供給スイッチ２３と同様に半導体スイッチであり、その一方の端子が電源配線を介してサブバッテリ１３の正極に接続し、他方の端子がＡＶＲ２２に接続している。この第２電力供給スイッチ２４は、制御回路２１の制御の下、一方の端子と他方の端子の間の接続／非接続、つまりサブバッテリ１３とＡＶＲ２２との電気的接続／非接続を切り替える。
【００２２】
ＳＤカードスロットインタフェース線２５は、サブバッテリ／モジュール被接続端子１１ｄが有するＳＤカードスロットインタフェース端子と制御回路２１とを接続する配線である。サブバッテリ／モジュール収容部１１ｂにＳＤカードスロットモジュール１４が収容されると、ＳＤカードスロットインタフェース線２５を介して、ＳＤカードに対する電子データの読み取りまたは書き込みを行うことが出来る。
【００２３】
ＳＤカードスロット検出線２６は、サブバッテリ／モジュール被接続端子１１ｄが有するＳＤカードスロット検出端子と制御回路２１とを接続する配線である。サブバッテリ／モジュール収容部１１ｂにＳＤカードスロットモジュール１４が収容されると、ＳＤカードスロットモジュール１４のＳＤカードスロット検出回路１４ｂを介してＡＶＲ２２からＳＤカードスロット検出線２６に電力が供給される。
【００２４】
サブバッテリ検出線２７は、サブバッテリ／モジュール被接続端子１１ｄが有するサブバッテリ検出端子と制御回路２１とを接続する配線である。サブバッテリ／モジュール収容部１１ｂにサブバッテリ１３が収容されると、サブバッテリ１３のサブバッテリ検出回路１３ｂを介してＡＶＲ２２からサブバッテリ検出線２７に電力が供給される。
【００２５】
次に、上記構成のＰＨＳ端末Ａのサブバッテリ／モジュール収容部１１ｂにＳＤカードスロットモジュール１４が収容されている場合に、制御回路２１が実行する処理について図３を参照して説明する。
サブバッテリ／モジュール収容部１１ｂにＳＤカードスロットモジュール１４が収容されると、図３に示すようにサブバッテリ／モジュール被接続端子１１ｄとＳＤカードスロットモジュール１４のモジュール接続端子１４ａとが接続する。そして、サブバッテリ／モジュール被接続端子１１ｄとモジュール接続端子１４ａとが接続することによってＳＤカードスロット検出回路１４ｂとＳＤカードスロット検出線２６とが接続して、ＡＶＲ２２からＳＤカードスロット検出線２６へ電力が供給される。
【００２６】
制御回路２１は、ＡＶＲ２２の電力がＳＤカードスロット検出線２６から供給されると、ＳＤカードスロットモジュール１４が搭載されたと認識する。制御回路２１は、ＳＤカードスロットモジュール１４が搭載されたと認識すると、ＳＤカードスロットインタフェース線を介してＳＤカードに対する電子データの読み出し及び書き込みを許可し、ＳＤカードに関わるアプリケーションの起動を許可する。このＳＤカードに関わるアプリケーションとは、ＳＤカード内のデータを閲覧する為のデータフォルダ等のことである。
【００２７】
次に、ＰＨＳ端末Ａのサブバッテリ／モジュール収容部１１ｂにサブバッテリ１３が収容されている場合に、制御回路２１が実行する処理について図４を参照して説明する。
サブバッテリ／モジュール収容部１１ｂにサブバッテリ１３が収容されると、図４に示すようにサブバッテリ／モジュール被接続端子１１ｄとサブバッテリ１３のサブバッテリ接続端子１３ａとが接続する。そして、サブバッテリ／モジュール被接続端子１１ｄとサブバッテリ接続端子１３ａとが接続することによってサブバッテリ検出回路１３ｂとサブバッテリ検出線２７とが接続して、ＡＶＲ２２からサブバッテリ検出線２７へ電力が供給される。
【００２８】
制御回路２１は、ＡＶＲ２２の電力がサブバッテリ検出線２７から供給されると、サブバッテリ１３が搭載されたと認識する。制御回路２１は、サブバッテリ１３が搭載されたと認識すると、第２電力供給スイッチを接続状態にしてサブバッテリの電力をＡＶＲ２２へ供給させる。そして、ＰＨＳ端末Ａにメインバッテリ１２及びサブバッテリ１３が収容されていると、第１電力供給スイッチ及び第２電力供給スイッチは接続状態になり、メインバッテリ１２及びサブバッテリ１３からＡＶＲ２２へ電力が供給される。
【００２９】
また、制御回路２１が、サブバッテリ１３が搭載されたと認識した場合に実行する処理の変形例として、以下の処理を実行するようにしてもよい。
制御回路２１は、サブバッテリ１３が搭載されたと認識しても、通常時であれば第２電力供給スイッチを非接続状態のまま第１電力供給スイッチのみを接続状態にしてメインバッテリ１２からのみＡＶＲ２２へ電力を供給させる。そして、制御回路２１は、メインバッテリ１２の電力の残力が少なくなりと、第１電力供給スイッチ２３を非接続状態にして第２電力供給スイッチを接続状態にすることでサブバッテリ１３からＡＶＲ２２へ電力を供給させる。または、制御回路２１は、メインバッテリ１２の電力の残力が少なくなると、表示部５にメインバッテリ１２の残力が少なくなっている旨の警告画面を表示させ、操作部８がスイッチ切替指示を受けうけると第２電力供給スイッチを接続状態にさせる。
【００３０】
以上説明したように、ＰＨＳ端末Ａでは、サブバッテリ／モジュール収容部１１ｂを設け、このサブバッテリ／モジュール収容部１１ｂにサブバッテリ１３またはＳＤカードスロットモジュール１４を収容することによっていずれかを利用できる為、サブバッテリ１３のみしか収容することが出来なかったスペースをユーザの使用用途に応じてＳＤカードスロットモジュール１４を収容するによって有効活用することが可能になる。また、ユーザは、ＳＤカードを頻繁に使用しないのであれば、サブバッテリ１３をサブバッテリ／モジュール収容部１１ｂへ収容することによって電力を供給するようにすればよい。
【００３１】
また、ＰＨＳ端末Ａにおいてメインバッテリ収容部１１ａの側面にメインバッテリ被接続端子１１ｃが設けられ、またサブバッテリ／モジュール収容部１１ｂの底面にサブバッテリ／モジュール被接続端子１１ｄが設けられている、すなわち異なる方向へ向くようにメインバッテリ被接続端子１１ｃとサブバッテリ／モジュール収容部１１ｂとが設けられている。これにより、ＰＨＳ端末Ａが落下して外力が加わりメインバッテリ１２及びサブバッテリ１３の位置が移動して瞬断が発生するような状況になったとしても、異なる方向に向けて設けられたメインバッテリ被接続端子１１ｃとサブバッテリ／モジュール被接続端子１１ｄとによってメインバッテリ１２またはサブバッテリ１３のいずれかが接続状態を保持することが出来る為、瞬断を防ぐことが出来る。
【００３２】
以上、本発明の一実施形態について説明したが、本発明は上記実施形態に限定されることなく、例えば以下のような変形が考えられる。
（１）上記実施形態では、サブバッテリ１３またはＳＤカードスロットモジュール１４をサブバッテリ／モジュール収容部１１ｂに収容するようにしたが、本発明はこれに限定されない。
例えば、サブバッテリ１３及びＳＤカードスロットモジュール１４に加えて、サブバッテリ／モジュール収容部１１ｂに、カメラモジュール、ＵＳＢ（Universal Serial Bus）等の外部インタフェースモジュール、近距離通信モジュール及び赤外線通信モジュールを収容して利用できるようにしてもよい。また、ＳＤカードスロットモジュールのみならず、その他の各種規格の外部メモリスロットモジュールを収容できるようにしてもよい。さらに、汎用の電池を収容すると共に汎用の電池に接続する電極を設けた電池電極モジュールをサブバッテリ／モジュール収容部１１ｂに収容出来るようにして、サブバッテリ１３の代わりに電池を電源として利用できるようにしてもよい。
【００３３】
（２）上記実施形態では、メインバッテリ１２とサブバッテリ１３をそれぞれひとつずつ収容できるようにしたが、本発明はこれに限定されない。
例えば、サブバッテリ／モジュール収容部１１ｂを複数設けて、その各サブバッテリ／モジュール収容部１１ｂにサブバッテリ１３または各種機能モジュールを収容できるようにしてもよい。
【００３４】
（３）上記実施形態では、サブバッテリ／モジュール収容部１１ｂにサブバッテリ１３またはＳＤカードスロットモジュール１４を収容するようにしたが、本発明はこれに限定されない。
例えば、サブバッテリ／モジュール収容部１１ｂが、サブバッテリ１３及びＳＤカードスロットモジュールを併せて収容することも出来るようにすると共にサブバッテリ／モジュール被接続端子１１ｄがサブバッテリ１３及びＳＤカードスロットモジュール１４へ併せて接続するも可能にして、制御回路２１は、ＳＤカードスロット検出線２６及びサブバッテリ検出線２７の両方から電力が供給されると、サブバッテリ１３及びＳＤカードスロットモジュールが併せて搭載されたと認識し、サブバッテリ１３及びＳＤカードスロットモジュールの両方を動作させるようにしてもよい。
【図面の簡単な説明】
【００３５】
【図１】本発明の一実施形態に係るＰＨＳ端末Ａの外観構成を示す斜視図である。
【図２】本発明の一実施形態に係るＰＨＳ端末Ａのバッテリ収容部１１、メインバッテリ１２、サブバッテリ１３及びＳＤカードスロットモジュール１４の外観構成を示す斜視図である。
【図３】本発明の一実施形態に係るＰＨＳ端末Ａのサブバッテリ／モジュール収容部１１ｂにＳＤカードスロットモジュール１４が収容されている場合のＳＤカードスロットモジュール１４と内部回路との接続状態を示す回路図である。
【図４】本発明の一実施形態に係るＰＨＳ端末Ａのサブバッテリ／モジュール収容部１１ｂにサブバッテリ１３が収容されている場合のサブバッテリ１３と内部回路との接続状態を示す回路図である。
【符号の説明】
【００３６】
Ａ…ＰＨＳ端末、１…表示側本体、２…操作側本体、３…ヒンジ構造、４…表示側筐体、５…表示部、６…受話口、７…操作側筐体、８…操作部、９…送話口、１０…収容カバー、１１…バッテリ収容部、１１ａ…メインバッテリ収容部、１１ｂ…サブバッテリ／モジュール収容部、１１ｃ…メインバッテリ被接続端子、１１ｄ…サブバッテリ／モジュール被接続端子、１１ｅ…仕切り部、１２…メインバッテリ、１２ａ…メインバッテリ接続端子、１３…サブバッテリ、１３ａ…サブバッテリ接続端子、１３ｂ…サブバッテリ検出回路、１４…ＳＤカードスロットモジュール、１４ａ…モジュール接続端子、１４ｂ…ＳＤカードスロット検出回路、２１…制御回路、２２…ＡＶＲ、２３…第１電力供給スイッチ、２４…第２電力供給スイッチ、２５…ＳＤカードスロットインタフェース線、２６…ＳＤカードスロット検出線、２７…サブバッテリ検出線
【図１】
2010011139.tif 000003
【図２】
2010011139.tif 000004
【図３】
2010011139.tif 000005
【図４】
2010011139.tif 000006